(57)【要約】【課題】  パチンコ景品カードにおいて、内部の有価物が簡単な操作で取り出せるようにすること。【解決手段】  合成樹脂材からなる基盤２上に、発行事項・販売事項等のデータファイルを有するＩＣチップ４に併設して金地金等の有価物５を配置し、基盤２の表面に透明ケース６をかぶせてなるパチンコ景品カードにおいて、透明ケース６及び／又は基盤２に、カード１の短手方向に沿って、カードを左右に分割できる切り込み８を刻装する。【選択図】図１
0003124519.tif 000002
【実用新案登録請求の範囲】
【請求項１】
合成樹脂材からなる基盤上に、発行事項・販売事項等のデータファイルを有するＩＣチップに併設して金地金等の有価物を配置し、上記基盤表面に透明ケースをかぶせてなるパチンコ景品カードにおいて、透明ケース及び／又は基盤に、カードの短手方向に沿って、カードを左右に分割できる切り込みを刻装することを特徴とするパチンコ景品カード。
【請求項２】
切り込みが、透明ケース及び／又は基盤の外面或いは内面、もしくは内外面の双方に形成することを特徴とする請求項１記載のパチンコ景品カード。
【請求項３】
切り込みが、同一平面上に１カ所又は複数箇所に形成されたものであることを特徴とする請求項１又は２記載のパチンコ景品カード。
【考案の詳細な説明】
【技術分野】
【０００１】  本考案は、金地金等の有価物を内蔵したパチンコ景品カードに関する。
【背景技術】
【０００２】  獲得したパチンコ玉の数に応じて渡される換金可能なパチンコ景品カードは、厚さ３ミリ程度の名刺大のものであり、合成樹脂素材の上に、ＩＣチップとともに、貴金属や金地金などの金銭的価値のある有価物を取り付けて、上面を透明ケースで覆う構成をとっている（例えば特許文献１参照）。
【特許文献１】特許第２３７８６７号公報
【考案の開示】
【考案が解決しようとする課題】
【０００３】  従来のパチンコ景品カードは、偽造や変造を防止したり、カード内に収納されている有価物の抜き取りなどが容易に行われないように堅牢強固に構成されているが、反面、換金目的でなく内部の有価物を手元に置きたい場合であっても、中身が簡単には取り出せないためケースごと保管せざるを得ないといった不便を伴っている。【０００４】  本考案はこのような従来の不具合に鑑みてなされたもので、カード内の有価物を取り出したい場合に、簡単な操作で所期の目的を達成でき、取り出し後はケースにその痕跡が残るため修復が困難となってカードの偽造・変造が不可能となり、不正使用を未然に防止することのできるパチンコ景品カードを提供することを意図している。
【課題を解決するための手段】
【０００５】  そのために本考案は、合成樹脂材からなる基盤上に、発行事項・販売事項等のデータファイルを有するＩＣチップに併設して金地金等の有価物を配置し、上記基盤表面に透明ケースをかぶせてなるパチンコ景品カードにおいて、透明ケース及び／又は基盤に、カードの短手方向に沿って、カードを左右に分割できる切り込みを刻装することを特徴としている。【０００６】  前記切り込みは、透明ケース及び／又は基盤の外面或いは内面、もしくは内外面の双方に形成することを特徴とする。【０００７】  前記切り込みが、同一平面上に１カ所又は複数箇所に形成されたものであることを特徴とする。
【考案の効果】
【０００８】  本考案のカードには切り込みが刻装され、両手でカードをつかんで切り込み箇所を中心に左右を折り曲げると切り込み箇所が割れてカードが左右に分割されるため内部が露出状態となる。従って割れた箇所を開いて内部の有価物を取り出すことができる。【０００９】  有価物を取り出したあとの切り込み箇所は修復がきかず、細工を施す余地はないためカードは廃棄せざるを得ない。従って同じカードによる偽造、変造は不可能となり、カードが不正使用されるおそれはない。
【考案を実施するための最良の形態】
【００１０】  図面を参照して本考案を説明すると、図１（ａ）、（ｂ）においてカード１は有色の合成樹脂基盤２に設けた厚紙からなる取り付け体３の中央にＩＣチップ４を配置し、該ＩＣチップ４の横にプレート状の有価物５を並列配置し、基盤２の上面より合成樹脂製の透明ケース６を被着したもので、７は取り付け体３に設けた模様部である。上記は一例であるからＩＣチップ４と有価物５などの位置関係は前記構成に拘束されず、また基盤２が取り付け体を兼ねるようにできることも勿論である。なおカード１と基盤２の合席樹脂材には、堅牢で耐衝撃性に優れるアクリル・ポリカーボネートなどが好適する。【００１１】  ＩＣチップ４は、有価物５の発行事項に関する情報の発行データファイルと、有価物５の販売事項に関する情報の販売データファイルと、有価物５の買上事項に関する情報の買上データファイルを有し、有価物５はカード１の換金額に等しい金地金であり、このほかにも例えば宝石、貴金属製商品券カード等としてもよい。【００１２】  ８は透明ケース６と基盤２の各中央部短手方向に沿って刻装したＶ字形の切り込みであり、この切り込み８を中心にカード１の両側をつかんで屈曲すれば、切り込み箇所が切断される仕組みとなっている。切り込み８の深さと幅は任意であるが、相応の力を入れないと簡単には割れない構成が好ましい．なお切り込み８は有価物５を避けて形成されるものであり、例え基盤２が取り付け体３を兼ねるものであっても有価物５自体に影響することはなく、その価値が損ずることはない。【００１３】  図２は切り込み８を切断した状態を示すもので、（ａ）は透明ケース６と基盤２両面が割れて２つに分割された直後のカード１であり、このとき取り付け体３はひび割れすることはあっても切断されることはない。（ｂ）は二分されたカード１の片側（図では右側）をつかんで取り付け体３を水平に引き出した状態を示し、かくして上面に存在するものはなくなるため有価物５を取り付け体３から容易に取り出すことができる。【００１４】  図３は切り込み８の他の刻装例を示したもので、（ａ）及び（ｂ）は、透明ケース６又は基盤２のいずれか一方にのみ切り込み８を形成したものである。カード１の厚みが比較的薄い場合は、このように１カ所に設けても、カード１を切断することが可能となる。【００１５】  （ｃ）は透明ケース６の内面と基盤２の内面に夫々切り込み８を設けた例を示すもので、こうすることによって外面に直接切り込み８が目視されないため、カードのレイアウト・色合い等によっては、表面が平滑となることで体裁が保たれるといった利点がある。【００１６】  （ｄ）は透明ケース６と基盤２の双方の内外面の同一線上に切り込み８を形成した例を示している。例えばカード１に厚みがあって、より堅牢強固な素材で構成されていると多少の力では切断がされない場合もあるが、このように同じ中心線上に数カ所にわたって切り込み８を設けると切断がしやすくなるというものである。【００１７】  （ｅ）は透明ケース６と基盤２の双方に各２カ所の切り込み８を設けている。前記した例はすべて同一面上に１カ所の切り込み８を形成しているが、この例のように同一面上に２カ所或いはそれ以上の切り込み８が存在すると、夫��の切り込み８箇所からカード１が切断でき、切断しやすさを趣旨とするカードには頗る都合がよい。【００１８】  従来のこの種景品カードは、カードの換金を目的としたものであってカードに細工を施したり中身を取り出すといったことは想定外で、むしろ偽造や変造防止に力点が置かれ、カードを傷損しないように全体を堅牢に構成することが必要とされている。しかしながら遊技客によっては、中身の有価物である金地金等の有価物それ自体を直接手にしたいと思うことも少なくなく、そのような場合でもカードが頑丈で開口できる余地がないため中身を取り出せないというジレンマがある。本考案では上記のように切り込み８を刻装してその部分よりカード１を切断でき、中身の有価物を取り出すことができるため遊技客の興趣感を満足させることができる。而して切断されたカードは利用価値が消滅し、不正使用されるおそれもない。また本考案は従来のカードを特に変える必要もなく、実施が容易で安価に得られる実益もある。なお本考案の目的効果を奏する範囲内の構造上の変更なども本考案の自由な実施の範疇に属すること勿論である。
【図面の簡単な説明】
【００１９】
【図１】本案カードを示し（ａ）は斜視図、（ｂ）は（ａ）のＡ−Ａ線断面図である。
【図２】（ａ）は本案カードを切り込みより切断した状態を、（ｂ）は切断後のカードを引き離す状態を示す断面図である。
【図３】カードに切り込みを刻装する他の例を示し、（ａ）はケースの外面中央に設けた状態、（ｂ）は基盤の外面中央に設けた状態、（ｃ）はケースと基盤の内面中央に設けた状態、（ｄ）はケースと基盤の内外面に夫々設けた状態、（ｅ）はケースと基盤の夫々の外面２カ所に設けた状態を示す説明図である。
【符号の説明】
【００２０】  １  カード
２  基盤
５  有価物
６  透明ケース
８  切り込み
【図１】
0003124519.tif 000003
【図２】
0003124519.tif 000004
【図３】
0003124519.tif 000005